(57)【要約】【課題】排出される不良硬貨の多寡をオペレータに通知することができる入出金装置及び入出金プログラムを提供する。【解決手段】出金装置は、入金される硬貨を投入する投入孔と、出金される硬貨を受ける受け皿と、排出される硬貨を受ける排出皿と、排出皿の近傍に設けられる発光部と、投入孔から投入された硬貨を搬送する硬貨搬送路に設けられ、不良硬貨を判別する硬貨判別センサと、硬貨判別センサの出力に基づいて不良硬貨であると判定されたものを排出する排出口と、排出口の直下に設けられ、排出する不良硬貨の数を計数する計数センサと、計数センサが計数した不良硬貨の枚数に基づいて発光部の点滅パターンを変更する制御部と、を備える。【選択図】図８
2015041311.tif 000002
【特許請求の範囲】
【請求項１】
入金される硬貨を投入する投入孔と、
出金される硬貨を受ける受け皿と、
排出される硬貨を受ける排出皿と、
前記排出皿の近傍に設けられる発光部と、
前記投入孔から投入された硬貨を搬送する硬貨搬送路に設けられ、不良硬貨を判別する硬貨判別センサと、
前記硬貨判別センサの出力に基づいて不良硬貨であると判定されたものを排出する排出口と、
前記排出口の直下に設けられ、排出する前記不良硬貨の数を計数する計数センサと、
前記計数センサが計数した不良硬貨の枚数に基づいて前記発光部の点滅パターンを変更する制御部と、
を備える入出金装置。
【請求項２】
前記排出皿の底部に設けられる排出皿センサをさらに備え、
前記制御部は、
前記排出皿センサの出力に基づいて前記排出皿から不良硬貨が取り除かれたと判定した場合、前記発光部を消灯させる請求項１記載の入出金装置。
【請求項３】
前記点滅パターンは、
前記発光部が発光する色を変化させることを含む請求項２記載の入出金装置。
【請求項４】
入金される硬貨を投入する投入孔と、
出金される硬貨を受ける受け皿と、
排出される硬貨を受ける排出皿と、
前記排出皿の近傍に設けられる発光部と、
前記投入孔から投入された硬貨を搬送する硬貨搬送路に設けられ、不良硬貨を判別する硬貨判別センサと、
前記硬貨判別センサの出力に基づいて不良硬貨であると判定されたものを排出する排出口と、
前記排出口の直下に設けられ、排出する前記不良硬貨の数を計数する計数センサと、
を備える入出金装置を、
前記計数センサが計数した不良硬貨の枚数に基づいて前記発光部の点滅パターンを変更する点滅パターン変更手段として機能させるための入出金プログラム。
【請求項５】
前記入出金装置は、
前記排出皿の底部に設けられる排出皿センサをさらに備え、
前記入出金装置を、
前記排出皿センサの出力に基づいて前記排出皿から不良硬貨が取り除かれたと判定した場合、前記発光部を消灯させる消灯手段としてさらに機能させるための請求項４記載の入出金プログラム。
【請求項６】
前記点滅パターンは、
前記発光部が発光する色を変化させることを含む請求項５記載の入出金プログラム。
【発明の詳細な説明】
【技術分野】
【０００１】
本発明の実施形態は、入出金装置及び入出金プログラムに関する。
【背景技術】
【０００２】
ＰＯＳ（Ｐｏｉｎｔ  ｏｆ  ｓａｌｅｓ）端末などの販売情報登録処理装置には入出金装置が併せて使用されることが多い。
【０００３】
入出金装置はＰＯＳ端末からの出金コマンドに基づいて硬貨を出金する。また、入出金装置は投入された硬貨を金種毎に分けて格納する。
【０００４】
入出金装置に投入される硬貨の中には変形していたり、硬貨でないものが含まれたりすることがある。入出金装置は投入された硬貨を搬送する搬送路にセンサを備え、このセンサの出力に基づいて不良な硬貨であると判定した場合、排出皿に搬出する排出機構を備える。
【０００５】
さらに、入出金装置は排出皿の上部に光を発する発光部を備える。従来の入出金装置は排出皿に不良硬貨が排出された場合に、その枚数にかかわらず発光部が通常と異なる色を発光するものであった。
【０００６】
従って、排出された不良硬貨の多寡をオペレータに通知することはできなかった。
【先行技術文献】
【特許文献】
【０００７】
【特許文献１】特開２０１３−２０６３９号公報
【発明の概要】
【発明が解決しようとする課題】
【０００８】
従って、排出される不良硬貨の多寡をオペレータに通知することができる入出金装置及び入出金プログラムが求められている。
【課題を解決するための手段】
【０００９】
上記の課題を解決するために、本発明の一実施形態は、入金される硬貨を投入する投入孔と、出金される硬貨を受ける受け皿と、排出される硬貨を受ける排出皿と、排出皿の近傍に設けられる発光部と、投入孔から投入された硬貨を搬送する硬貨搬送路に設けられ、不良硬貨を判別する硬貨判別センサと、硬貨判別センサの出力に基づいて不良硬貨であると判定されたものを排出する排出口と、排出口の直下に設けられ、排出する不良硬貨の数を計数する計数センサと、計数センサが計数した不良硬貨の枚数に基づいて発光部の点滅パターンを変更する制御部と、を備える出金装置を提供する。
【図面の簡単な説明】
【００１０】
【図１】入出金装置の外観斜視図である。
【図２】本体部から入出金機構を露出させた様子を示す図である。
【図３】入出金装置の図１におけるＡＡ線断面図である。
【図４】入出金装置の本体部のカバーを外した場合の上面図である。
【図５】入出金装置の図４のＢ矢視図である。
【図６】入出金装置の構成を示すブロック図である。
【図７】点灯パターンテーブルのデータ構成の例を示す図である。
【図８】入出金装置の制御部の動作を示す図である。
【発明を実施するための形態】
【００１１】
以下、入出金装置及び入出金プログラムの一実施形態について、図面を用いて詳細に説明する。
【００１２】
本実施形態の出金装置は、入金される硬貨を投入する投入孔と、出金される硬貨を受ける受け皿と、排出される硬貨を受ける排出皿と、排出皿の近傍に設けられる発光部と、投入孔から投入された硬貨を搬送する硬貨搬送路に設けられ、不良硬貨を判別する硬貨判別センサと、硬貨判別センサの出力に基づいて不良硬貨であると判定されたものを排出する排出口と、排出口の直下に設けられ、排出する不良硬貨の数を計数する計数センサと、計数センサが計数した不良硬貨の枚数に基づいて発光部の点滅パターンを変更する制御部と、を備える。
【００１３】
図１は、本実施形態に係る入出金装置１の外観斜視図である。図１に示すように、入出金装置１は、硬貨を入出金する入出金機構２５を格納する本体部１１と、入金される硬貨を投入する投入孔２２、出金される硬貨を受ける受け皿２３、及び排出される硬貨を受ける排出皿２４を有するフロント部１２と、を備える。
【００１４】
本体部１１に格納される入出金機構２５は、不良硬貨を排出する排出部と、硬貨を金種ごとに選り分ける選別部と、選別された硬貨を金種ごとに格納する格納部と、を備える。
【００１５】
排出部は、硬貨搬送路に設けられた磁気センサによって不良硬貨を検知し、硬貨搬送路に設けられる排出口のシャッタを開けることにより不良硬貨を取り出す。さらに、排出部は不良硬貨をベルトコンベアによって不良硬貨を排出皿２４に搬送する。
【００１６】
入出金装置１は、排出皿２４の近傍、例えば排出皿２４の上部に光を発する発光部２６を備える。発光部２６は、白色光の他、複数の色を発光する光源を用いることができる。
【００１７】
選別部は、硬貨を硬貨の大きさに合わせた切り欠きを有する硬貨選別板の上を搬送させることにより金種ごとに格納部に落下させる。
【００１８】
格納部は、金種ごとに硬貨を格納する格納室を有し、落下してきた硬貨を格納室に格納する。
【００１９】
硬貨は硬貨搬送路を無端状のベルトによって一定速度にて搬送される。入出金装置１は硬貨搬送路に硬貨の通過を検知する複数のセンサを有する。入出金装置１は、あるセンサが硬貨の通過を検知してから次のセンサが硬貨を検知するまでの時間を計測し、計測した時間が閾値を超えた場合、硬貨詰まりが発生したと判定する。
【００２０】
入出金装置１はさらに、本体部１１から入出金機構２５を露出させることを規制する施錠部２１を備える。
【００２１】
図２は、本体部１１から入出金機構２５を露出させた様子を示す図である。図２に示すように、施錠部２１を開錠し、フロント部１２を手前側に引き出すと入出金機構２５が露出する。
【００２２】
図３は、入出金装置１の図１におけるＡＡ線断面図である。図３に示すように、入出金装置１は、受け皿２３の底部に硬貨の存在を検知する受け皿センサ３１と、排出皿２４の底部に硬貨の存在を検知する排出皿センサ３３と、を備える。
【００２３】
受け皿センサ３１は受け皿センサ基板３２に設置される。受け皿センサ３１は、例えば磁気センサを用いることができる。
【００２４】
排出皿センサ３３は排出皿センサ基板３４に設置される。排出皿センサ３３は、例えば磁気センサを用いることができる。
【００２５】
磁気センサは、内部にコイルを備え、磁気センサに近づいた物の磁気的性質を電圧に変換して出力する。
【００２６】
従って、入出金装置１は、受け皿センサ３１及び排出皿センサ３３の出力に基づいて受け皿２３又は排出皿２４に硬貨が存在するか否かを検知することができる。
【００２７】
図４は、入出金装置１の本体部１１のカバーを外した場合の上面図である。図４に示すように、入出金装置１は、投入孔２２から投入された硬貨を１枚ずつ搬送する硬貨搬送路４２と、硬貨搬送路４２に設けられる磁気センサなどの硬貨判別センサ４１と、硬貨判別センサ４１の出力に基づいて硬貨ではない不良硬貨と判定されたものを排出する排出口４３Ａ及び排出シャッタ４３Ｂと、硬貨Ｃを沿わせて搬送させるガイド４４と、を備える。
【００２８】
入出金装置１はさらに、各硬貨Ｃの大きさに対応する幅の切り欠き４５を有する硬貨選別部４６と、硬貨選別部４６から落下する硬貨を硬貨の種別ごとに検知する落下センサ４７Ａ乃至４７Ｆ（以下、落下センサ４７Ａ乃至４７Ｆを落下センサ４７という。）
投入された硬貨は、矢印Ｘ１に示す方向に搬送され、硬貨判別センサ４１の出力に基づいて硬貨でないと判定されたものは排出口４３Ａから落下選別される。硬貨判別センサ４１の出力に基づいて硬貨と判定された硬貨Ｃは矢印Ｘ２に示す方向に搬送され、硬貨選別部４６によって硬貨の種別ごとに振り分けられ、さらに矢印Ｘ３の方向に搬送されて格納される。
【００２９】
図５は、入出金装置１の図４のＢ矢視図である。図４に示すように、入出金装置１は、硬貨搬送路４２に沿って設けられる搬送ベルト５１と、搬送ベルト５１を駆動する駆動滑車５２、及び従動滑車５３と、排出口４３Ａの直下に配置される排出ベルト５６と、排出ベルトを駆動する駆動ローラ５４、及び従動ローラ５５と、を備える。
【００３０】
入出金装置１は、排出口４３Ａの直下かつ排出ベルト５６の上方に、落下する不良硬貨の数を計数する計数センサ５８を備える。計数センサ５８は、例えば発光素子５８Ａと、発光素子５８Ａが発する光を受光する受光素子５８Ｂと、を備える。
【００３１】
発光素子５８Ａと受光素子５８Ｂは、落下する不良硬貨が落下の際に発光素子５８Ａから受光素子５８Ｂに至る光路を遮るように配置される。
【００３２】
入出金装置１は受光素子５８Ｂの出力がＯＮからＯＦＦとなり、さらにＯＮとなった場合に、不良硬貨が１枚排出されたと判定する。
【００３３】
排出口４３Ａから落下したものは、排出ベルト５６によって矢印Ｘ３に示す方向に搬送され、排出皿２４に排出される。
【００３４】
図６は、入出金装置１の構成を示すブロック図である。図６に示すように、入出金装置１は、演算装置であるＣＰＵ（Ｃｅｎｔｒａｌ  ｐｒｏｃｅｓｓｉｎｇ  ｕｎｉｔ）を含む制御部２０１と、メモリ等の記憶装置を含む記憶部２０２と、情報通信を行う通信部２０３と、施錠部２１と、センサ２０４と、計数センサ５８を備える。
【００３５】
センサ２０４は、受け皿センサ３１及び排出皿センサ３３を含む。
【００３６】
記憶部２０２は、排出される不良硬貨の枚数に対応する発光部２６の点灯パターンを格納する点灯パターンテーブルを格納する。
【００３７】
記憶部２０２は、入出金プログラムを格納し、制御部２０１は記憶部２０２から入出金プログラムを読み出して実行する。
【００３８】
図７は、点灯パターンテーブルのデータ構成の例を示す図である。図７に示すように、点灯パターンテーブルは、排出される不良硬貨の枚数を示す「排出枚数」と、排出枚数ごとの発光部２６の点灯パターンを示す「点灯パターン」と、を格納する。
【００３９】
各データの例は、排出枚数が「１〜２」、点灯パターンが「１秒おきに点滅」である。点灯パターンは、点滅の時間間隔のみならず、発光する色を変更するものであってもよい。
【００４０】
図８は、入出金装置１の制御部２０１の動作を示す図である。図８に示すように、ステップ８０１において制御部２０１は、入金が開始されたかを上位機種であるＰＯＳ端末からのコマンドに基づいて判定する。制御部２０１は、入金が開始されたと判定した場合、ステップ８０２に進み、入金が開始されたと判定しない場合、ステップ８０１に戻る。
【００４１】
ステップ８０２において、制御部２０１は排出される不良硬貨の枚数を格納するカウンタを０にリセットする。
【００４２】
ステップ８０３において、制御部２０１は計数を開始する
ステップ８０４において、制御部２０１は排出される硬貨が計数センサ５８を通過したかを判定する。制御部２０１は排出される硬貨が計数センサ５８を通過したと判定した場合、ステップ８０５に進み、通過していないと判定した場合、ステップ８０８に進む。
【００４３】
ステップ８０５において、制御部２０１はカウンタに１を加算する。
【００４４】
ステップ８０６において、制御部２０１はカウンタの数値に基づいて点灯パターンテーブルを参照し、点灯パターンを読み出す。
【００４５】
ステップ８０７において、制御部２０１は発光部２６の点滅方法を変更する。
【００４６】
ステップ８０８において、制御部２０１は排出皿センサ３３がＯＦＦであるかを判定する。制御部２０１は排出皿センサ３３がＯＦＦである、すなわち不良硬貨が取り除かれたと判定した場合、ステップ８０９に進み、ＯＦＦでないと判定した場合、ステップ８０３に戻る。
【００４７】
ステップ８０９において、制御部２０１は発光部２６を消灯し、ステップ８０１に戻る。
【００４８】
以上述べたように、本実施形態の入出金装置１は、硬貨を入出金する入出金機構２５と、入金される硬貨を投入する投入孔２２と、出金される硬貨を受ける受け皿２３と、排出される硬貨を受ける排出皿２４と、排出皿２４の近傍に設けられる発光部２６と、排出皿２４の底部に設けられる排出皿センサ３３と、投入孔２２から投入された硬貨を搬送する硬貨搬送路４２に設けられ、不良硬貨を判別する硬貨判別センサ４１と、硬貨判別センサ４１の出力に基づいて不良硬貨であると判定されたものを排出する排出口４３Ａと、排出口４３Ａの直下に設けられ、落下する不良硬貨の数を計数する計数センサ５８と、計数センサ５８が計数した不良硬貨の枚数に基づいて発光部２６の点滅パターンを変更する制御部２０１と、を備える。
【００４９】
従って、発光部２６の点灯パターンにより排出される不良硬貨の多寡をオペレータに通知することができるという効果がある。
【００５０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１：入出金装置
２３：受け皿
２４：排出皿
２６：発光部
３１：受け皿センサ
３３：排出皿センサ
【図１】
2015041311.tif 000003
【図２】
2015041311.tif 000004
【図３】
2015041311.tif 000005
【図４】
2015041311.tif 000006
【図５】
2015041311.tif 000007
【図６】
2015041311.tif 000008
【図７】
2015041311.tif 000009
【図８】
2015041311.tif 000010